(57)【要約】【課題】本体装置をサイズアップすることなく、ユーザが操作し易く、且つ、簡易な構成で本体装置の上蓋の開放及び記録媒体装置の排出の確実なロック状態を保持する。【解決手段】スプリング１３の弾性力によって回動するように底キャビネット４に対向するように配置された上蓋３と、往復移動自在に且つ回転自在な円筒形状を呈し、軸方向が往復移動する移動方向（矢印Ｚ方向）に平行なイジェクトキー７と、矢印Ｚ方向における往動方向である矢印Ｚ２方向に往動したイジェクトキー７を復動方向である矢印Ｚ１方向に付勢するイジェクトレバー５及びイジェクトスプリング６と、イジェクトキー７の外周面に位置し、長手方向が矢印Ｚ方向に平行な溝７ｂと、矢印Ｚ方向のイジェクトキー７が往動する方向におけるイジェクトキー７よりも下流側の本体装置の内部に位置し、イジェクトキー７の往動の際に溝７ｂに外嵌されるストッパー４ｃと、を備える。【選択図】  図１
2006164456.tif 000002
【特許請求の範囲】
【請求項１】
回動して記録媒体が挿脱自在になるように本体装置の内部を開放する上蓋と、
前記上蓋を回動させる回動機構と、
往復移動自在に且つ回転自在な円筒形状を呈し、軸方向が往復移動する移動方向に平行なキー部材と、
往動した前記キー部材を前記移動方向の復動させる方向に付勢する付勢手段と、
前記キー部材が往動する移動力を前記回動機構に伝達する移動力伝達手段と
前記キー部材の外周面に位置し、長手方向が前記軸方向に平行な溝と、
前記移動方向の前記キー部材が往動する方向における前記キー部材よりも下流側の本体装置の内部に位置し、前記キー部材の往動の際に前記溝に外嵌される突起部を有する禁止手段であって、前記上蓋の回動を禁止する禁止手段と、を備えたことを特徴とする記録媒体再生装置。
【請求項２】
前記本体装置の内部を開放する際、該本体装置の内部に挿入された前記記録媒体の一部を排出するイジェクト機構と、
前記上蓋を回動する回動力を前記イジェクト機構に伝達する回動力伝達手段と、を備えたことを特徴とする請求項１に記載の記録媒体再生装置。
【請求項３】
前記溝が前記突起部に外嵌する外嵌位置に位置している間、前記溝を前記外嵌位置から離間させる方向に前記キー部材を回転させる力を付与する回転力付与手段を備えたことを特徴とする請求項１に記載の記録媒体再生装置。
【発明の詳細な説明】
【技術分野】
【０００１】
この発明は、本体装置に挿入された記録媒体に記録されているデータを再生する記録媒体再生装置に関し、特に挿入された記録媒体の排出を禁止する禁止手段を備えた記録媒体再生手段に関する。
【背景技術】
【０００２】
ポータブルミニディスクプレーヤ（以下、ポータブルＭＤプレーヤと言う。）等の持ち運び可能な記録媒体再生装置は、内部に挿入した記録媒体から音楽等のデータを読み出して再生する。また、挿入した記録媒体の記録媒体再生装置からの取り出しは、イジェクトキーを押下することで行う。
【０００３】
例えば、図１０及び図１１に示す構成を備えたポータブルＭＤプレーヤがある。図１０（Ａ）〜（Ｃ）は、ポータブルＭＤプレーヤの正面断面図、側面断面図、一部構成を示す上面断面図を示す。図１１（Ａ）及び（Ｂ）は、ＭＤ（ミニディスク）１のイジェクト時のポータブルＭＤプレーヤの正面断面図及び側面断面図である。
【０００４】
本体装置であるポータブルＭＤプレーヤ２００は、上蓋３及び底キャビネット４等から構成され、内部に記録媒体であるＭＤ１が挿脱自在に挿入される。上蓋３は、図１１（Ｂ）に示すように回動可能に底キャビネット４に配置されている。また、上蓋３及び底キャビネット４により形成される筐体内部には、記録媒体ホルダ２が備えられている。記録媒体ホルダ２は、上蓋３に連動して支点２ａを中心として回動する。
【０００５】
底キャビネット４の内部には、ガイド部４ａ、イジェクトレバー５及びイジェクトスプリング６が備えられ、また側面にはイジェクトキー７が備えられている。ガイド部４ａは、イジェクトレバー５の移動をガイドする。イジェクトレバー５は、図１０（Ａ）に示すように移動方向である矢印Ｚ方向に往復移動自在であり、一端にイジェクトスプリング６が接続され、他端がイジェクトキー７のピン部７ａに当接している。
【０００６】
また、イジェクトレバー５は、フック５ａを有し、図１０に示すように上蓋３が閉じられた状態において、上蓋３に備えられるロック爪３ａに係合する。
【０００７】
イジェクトスプリング６は、図１１（Ａ）に示すように、矢印Ｚ方向におけるイジェクトレバー５の復動方向である矢印Ｚ１方向にイジェクトレバー５を付勢する。イジェクトキー７は、ユーザによって押下されるとガイドリブ４ｂにガイドされ、図１１（Ａ）に示すように矢印Ｚ方向における往動方向である矢印Ｚ２方向に往動し、ピン部７ａを介してイジェクトレバー５を矢印Ｚ２方向に往動させる。この移動の時に、フック５ａとロック爪３ａとの係合が解除され、図１１（Ａ），（Ｂ）に示すように上蓋３及び記録媒体ホルダ２が図示しないスプリングの弾性力によって回動する。
【０００８】
また、イジェクトキー７の押下によって上蓋３及び記録媒体ホルダ２が回動する際、図示しない周知のイジェクト機構によって、図１１（Ｂ）に示すようにＭＤ１の一部が本体装置の内部から外部に排出される。
【０００９】
ユーザがイジェクトキー７の押下をやめると、イジェクトスプリング６の弾性力によってイジェクトレバー５及びイジェクトキー７は矢印Ｚ１方向に復動し、押下される前の状態と同じ位置に戻る。
【００１０】
ところが、上述のようなポータブルＭＤプレーヤは、イジェクトキーをＭＤの再生中においても自由に押し込めるため、例えばポケットやバッグの中に本体装置が収納されている場合、ＭＤの再生中にイジェクトキーが他の物に押下されて使用者の意思に反して上蓋が開き（回動し）、再生が解除されてしまう問題があった。また上記の対策として底キャビネットのイジェクトキーの周囲を膨らませる事により、イジェクトキーの突出量を少なくして使用者が意図しない押下を防止するという方法が考えられるが、完全には上記問題を解決できない。
【００１１】
例えば、軟らかい物がイジェクトキーに向けて押し込まれた場合には変形によって押下されてしまうからである。また、イジェクトキーの周囲の底キャビネットを膨らませるために、このような持ち運び可能なポータブル機器においては外形寸法が大きくなってしまうという難点があった。
【００１２】
そこで、従来の記録媒体再生装置には、誤操作によって記録媒体が排出されないように、開閉部を回動して記録媒体の挿入口が開放された時以外にはイジェクトキーの押下を禁止する構成を備えた構成のものがある（例えば、特許文献１参照。）。
【特許文献１】特開平９−１０６６０３号公報
【発明の開示】
【発明が解決しようとする課題】
【００１３】
しかしながら、上述の特許文献１の構成では、開閉部を回動した後にイジェクトキーを押下しなければならず、ユーザの利便性に欠ける。
【００１４】
この発明の目的は、本体装置をサイズアップすることなく、ユーザが操作し易く、且つ、簡易な構成で本体装置の上蓋の回動及び記録媒体装置の排出の確実なロック状態を保持することができる記録媒体再生装置を提供することである。
【課題を解決するための手段】
【００１５】
この発明は、上記の課題を解決するために、以下の構成を備えている。
【００１６】
（１）回動して記録媒体が挿脱自在になるように本体装置の内部を開放する上蓋と、
前記上蓋を回動させる回動機構と、
往復移動自在に且つ回転自在な円筒形状を呈し、軸方向が往復移動する移動方向に平行なキー部材と、
往動した前記キー部材を前記移動方向の復動させる方向に付勢する付勢手段と、
前記キー部材が往動する移動力を前記回動機構に伝達する移動力伝達手段と
前記キー部材の外周面に位置し、長手方向が前記軸方向に平行な溝と、
前記移動方向の前記キー部材が往動する方向における前記キー部材よりも下流側の本体装置の内部に位置し、前記キー部材の往動の際に前記溝に外嵌される突起部を有する禁止手段であって、前記上蓋の回動を禁止する禁止手段と、を備えたことを特徴とする。
【００１７】
この発明の構成においては、軸方向に平行な移動方向に往復移動するキー部材の外周面に長手方向が軸方向に平行な溝が配置され、本体装置の内部に突起部が備えられている。また、ユーザによってキー部材が回転されて溝が突起部に対向する位置に合わされた後に移動方向に押下され、溝が突起部に外嵌しつつキー部材が移動方向に往動する。その際、移動力伝達手段を介して伝達されたキー部材の移動力によって回動機構が駆動して上蓋が上方に回動され、本体装置の内部が開放される。
【００１８】
したがって、キー部材の外周面に配置された溝が突起部に外嵌しない限り、突起部によってキー部材の移動方向の往動（押下）が禁止され、上蓋の回動（本体装置の内部の開放）が禁止される。
【００１９】
（２）前記本体装置の内部を開放する際、該本体装置の内部に挿入された前記記録媒体の一部を排出するイジェクト機構と、
前記上蓋を回動する回動力を前記イジェクト機構に伝達する回動力伝達手段と、を備えたことを特徴とする。
【００２０】
この発明の構成においては、回動力伝達手段を介して伝達された上蓋が回動する回動力によってイジェクト機構が駆動し、本体装置の内部に挿入された記録媒体の一部が排出される。したがって、キー部材が押下されて移動方向に往動しない限り記録媒体の排出が禁止される。
【００２１】
（３）前記溝が前記突起部に外嵌する外嵌位置に位置している間、前記溝が前記外嵌位置から離間させる方向に前記キー部材を回転させる力を付与する回転力付与手段を備えたことを特徴とする。
【００２２】
この発明の構成においては、キー部材の外周面に配置された溝が突起部に対向する位置である外嵌位置に位置している間は、回転力付与手段によって常に溝が外嵌位置から離間させる方向にキー部材を回転させる力が付与される。また、ユーザがキー部材を押下することを止めた際、キー部材がユーザが押下の際に回転させた方向と逆方向に回転し、キー部材の外周面に配置された溝が突起部に外嵌することが禁止される。したがって、ユーザ自身が押下の禁止される位置にまでキー部材を回転させなくてもよい。
【発明の効果】
【００２３】
この発明によれば、以下の効果を奏することができる。
【００２４】
（１）キー部材の外周面に位置する溝と、本体装置の内部に位置する突起部とを備えることによって、キー部材の外周面に配置された溝を突起部に外嵌しない限り、キー部材の押下を禁止できるので、簡易な構成でユーザの意思ではない誤操作等による上蓋の回動を禁止できる。また、キー部材を回転させるだけで押下の禁止を解除できるのでユーザの利便性を向上させることができる。
【００２５】
（２）上蓋の回動力を利用してイジェクト機構を駆動することによって、キー部材の外周面に配置された溝を突起部に外嵌しない限り、上蓋の回動により駆動するイジェクト機構の駆動も禁止されるので、簡易な構成でユーザの意思ではない誤操作等による記録媒体の一部の本体装置からの排出を禁止できる。
【００２６】
（３）キー部材の外周面に配置された溝が突起部に対向する位置である外嵌位置に位置している間、常に溝を外嵌位置から離間させる方向にキー部材を回転させる力を付与することによって、ユーザ自身が押下の禁止される位置にまでキー部材を回転させる必要がなく、よりユーザの利便性を向上させることができる。
【発明を実施するための最良の形態】
【００２７】
以下、この発明の最良の実施形態に係る記録媒体再生装置の１つであるポータブルＭＤプレーヤを図面を参照しつつ詳細に説明する。
【００２８】
図１は、この発明のポータブルＭＤプレーヤの正面断面図である。図２は、この発明のポータブルＭＤプレーヤの一部の構成を拡大した上面断面図であり、図３は、図１に示す矢印Ａ方向から見た側面断面図である。
【００２９】
この発明の本体装置であるポータブルＭＤプレーヤ１００は、上蓋３及び底キャビネット４等から構成され、内部に記録媒体であるＭＤ１を挿脱自在に挿入する。上蓋３は、回動可能に底キャビネット４に配置されている。また、上蓋３及び底キャビネット４により形成される筐体内部には、記録媒体ホルダ２が備えられている。記録媒体ホルダ２は、上蓋３と連動して回動する。
【００３０】
底キャビネット４の内部には、ガイド部４ａ、イジェクトレバー５及びイジェクトスプリング６が備えられ、また側面にはイジェクトキー７が備えられている。ガイド部４ａは、イジェクトレバー５の移動をガイドする。イジェクトレバー５は、図１に示すように移動方向である矢印Ｚ方向に往復移動自在であり、一端にイジェクトスプリング６が接続され、他端がイジェクトキー７のピン部７ａに当接している。
【００３１】
また、イジェクトレバー５は、フック５ａを有し、図１に示すように上蓋３が閉じられた状態において、上蓋３に備えられるロック爪３ａに係合する。イジェクトスプリング６は、矢印Ｚ方向におけるイジェクトレバー５の復動方向である矢印Ｚ１方向にイジェクトレバー５を付勢する。
【００３２】
この発明のキー部材であるイジェクトキー７は、軸方向が矢印Ｚ方向に平行な円筒形状を呈し、矢印Ｚ方向に往復移動自在且つ回転自在にガイドリブ４ｂに支持される。また、イジェクトキー７は、外周面に溝７ｂ及びリブ７ｃを備えている。溝７ｂは、長手方向が矢印Ｚ方向に平行に形成され、イジェクトキー７の回転及び矢印Ｚ方向における往動方向である矢印Ｚ２方向の往動によって底キャビネット４の内部に形成されるストッパー４ｃに外嵌する。
【００３３】
この発明の禁止手段であるストッパー４ｃは、矢印Ｚ２方向におけるイジェクトキー７よりも下流側に位置する突起であり、溝７ｂが対向する外嵌可能な外嵌位置に移動しない限り、イジェクトキー７の矢印Ｚ２方向の往動を禁止する。つまり、イジェクトキー７の往動は、溝７ｂがストッパー４ｃに外嵌した状態でのみ可能となる。リブ７ｃは、ガイドリブ４ｂの切り欠き部４１ｂから本体装置の内部に突出し、イジェクトキー７の回転範囲を制限する。
【００３４】
底キャビネット４は、内部の底面に押さえバネ８を備えている。押さえバネ８は、一端が底キャビネット４に固定され、他端がリブ７ｃの自由端に当接して常にイジェクトキー７に反時計回りの力を付与する。そのため、イジェクトキー７は、ユーザによって時計回りに回転されない限り、図３に示すホールド位置に保持される。
【００３５】
イジェクトキー７には、図１，３に示すように外部に面する円板面に突起７ｄが形成されている。突起７ｄは、ユーザがイジェクトキー７を回転させる際に指への引っ掛かりを向上させて回転させ易くする。
【００３６】
イジェクトキー７は、溝７ｂがストッパー４ｃに対向する外嵌可能な外嵌位置に移動するように、ユーザによって押さえバネ８の付勢力に抗して時計回りに回転された後、矢印Ｚ２方向の押下によって往動する。この往動によって、ピン部７ａを介して矢印Ｚ２方向にイジェクトレバー６が往動する。
【００３７】
このイジェクトレバー６の往動によって、フック５ａとロック爪３ａとの係合が解除され、上蓋３及び記録媒体ホルダ２が後述するスプリングの弾性力によって回動し、図４〜図６に示すような本体装置の内部が開放された状態となる。なお、図４は、図１に示す蓋３が閉じられた状態から開放された状態の一部を示す正面断面図であり、図５及び図６は、図２及び図３に示す上蓋３が閉じられた状態から開放された状態を示す上面断面図及び側面断面図である。
【００３８】
また、ユーザがイジェクトキー７の押下をやめると、イジェクトスプリング６の弾性力によってイジェクトレバー５及びイジェクトキー７は矢印Ｚ１方向に復動し、押下される前の状態と同じ位置に戻る。
【００３９】
なお、ロック爪３ａ、イジェクトレバー５は、この発明の移動力伝達手段に含まれる。また、イジェクトレバー５及びイジェクトスプリング６は、この発明の付勢手段に含まれる。さらに、リブ７ｃ及び押さえバネ８は、この発明の回転力付与手段に含まれる。
【００４０】
図７は、図１に示す示す矢印Ｂ方向から見た側面断面図である。図８は、ポータブルＭＤプレーヤ１００の一部の構成を拡大した上面断面図である。なお、図７及び図８は、ＭＤ１を挿入した状態で上蓋３が閉じられた状態を示す。
【００４１】
また、図９（Ａ），（Ｂ）は、図７に示す上蓋３が閉じられた状態から徐々に回動されていく状態を順に示す側面断面図である。
【００４２】
上蓋３は、上蓋金具１２を備えている。上蓋金具１２は、自由端部に昇降フック１２ａを有し、上蓋３の回動とともに回動する。昇降フック１２ａは、図９（Ａ），（Ｂ）に示すように、上蓋金具１２の回動の際に記録媒体ホルダ２の自由端部に位置する昇降爪２ｂに係合して記録媒体ホルダ２を回動させる。
【００４３】
記録媒体ホルダ２は、蹴り出しレバー９、蹴り出しスプリング１０を備えている。蹴り出しレバー９は、係止爪９ａ、蹴り出し板部９ｂ、及び腕部９ｃを備え、ガイド溝９ｄの範囲を摺動自在に往復する。ガイド溝９ｄは、記録媒体ホルダ２に備えられたカシメピン１４に支持されている。また、蹴り出しレバー９は、蹴り出しスプリング１０に本体装置の背面側から前面側に向かう方向に付勢され、この付勢によって、図９（Ｂ）に示すように上蓋３の上方への回動とともに本体装置の背面側から前面側に摺動してＭＤ１の一部を排出する。また、記録媒体ホルダ２は、支点１１ａを中心に回動する。
【００４４】
蹴り出し板部９ｂは、図８に示すように本体装置の背面側に位置し、前面側から挿入されたＭＤ１に当接される。これにより、蹴り出しレバー９全体が本体装置の前面から背面に向かう方向に摺動する。また、蹴り出し板部９ｂは、蹴り出しレバー９が本体装置の背面から前面に向かう方向に摺動する際にＭＤ１に当接し、一部を外部に排出する。
【００４５】
係止爪９ａは、ロック爪２ａと係合し、蹴り出しレバー９の摺動を禁止する。また、この係止爪９ａが係合された位置において、ＭＤ１が記録媒体ホルダ２に挿入された状態となる。係止爪９ａは、蹴り出しレバー９がＭＤ１の挿入によって本体装置の前面から背面に向かう方向に往動する際に、ロック爪２ａを乗り越えた後に蹴り出しレバー９自身の弾性力でロック爪２ａと噛み合う。
【００４６】
また、底キャビネット４には支点金具１１が固定されてる。支点金具１１には、上蓋金具１２を上蓋３が上方に回動する方向に付勢するスプリング１３が取り付けられている。上蓋金具１２は、上蓋３に固定され、支点１１ａを中心に回動自在であり、スプリング１３の弾性力を受けて上蓋３を回動させつつ回動する。
【００４７】
ＭＤ１を排出するには、上述したようにイジェクトキー７を回転しつつ押下し、イジェクトレバー５のフック５ａと上蓋３のロック爪３ａとの係合を解除する。これにより、図９に示すように上蓋金具１２はスプリング１３の弾性力によって支点１１ａを中心として時計回りに回動を始め、上蓋３が開き始める。
【００４８】
この時、記録媒体ホルダー２は、昇降フック１２ａにより持ち上げられ、支点１１ａを中心として回動を始める。また、記録媒体ホルダ２に備えられた蹴り出しレバー９も同様に回動しようとする。しかし、蹴り出しレバー９は、腕部９ｃが支点金具１１に形成されたフック部１１ｂに当たっているため係止爪９ａが撓んで記録媒体ホルダ２に形成されたロック爪２ａとの係合が解除され、蹴り出しスプリング１０の付勢により本体装置の背面から前面に向かう方向にガイド溝９ｄによってガイドされて摺動を開始する。この時、ＭＤ１は、図９に示すように蹴り出し板部９ｂにより本体装置の背面から前面に向かう方向に搬送される。
【００４９】
その後、上蓋３及び上蓋金具１２は、図示しないストッパーにより所定の角度で回転を停止する。この時、記録媒体ホルダー２は、昇降フック１２ａにより持ち上げられているので、上蓋３よりも小さな角度で回動が停止する。これは、ＭＤ１を取り出すために上蓋３との角度差が必要だからである。
【００５０】
蹴り出しレバー９は、ガイド溝９ｄの端部がカシメピン１４に当接することで摺動が停止する。また、ＭＤ１は、図９（Ｂ）に示すように蹴り出し板部９ｂの摺動により押し出され、一部が本体装置の外部に露出する。
【００５１】
次に、ユーザがイジェクトキー７の押下をやめると、イジェクトキー７及びイジェクトレバー５は、イジェクトスプリング６の弾性力により図１に示す往動する前の位置まで復動する。また、イジェクトキー７は、キー溝７ｂがストッパー４ｃから離間した後に、押さえバネ８の弾性力により図８に示す回転する前の位置まで反時計回りに回転する。
【００５２】
その後、ＭＤ１を本体装置から抜いてユーザが上蓋３を閉じる場合は、上蓋３のロック爪３ａがイジェクトレバー５のフック５ａの斜面部に当接し、イジェクトレバー５のみを矢印Ｚ方向に往動させる。その後、上蓋３が閉じきった状態でイジェクトスプリング６の弾性力により図６に示す往動する前の位置に復動し、ロック爪３ａとフック５ａとが係合して上蓋３が完全に閉じられた状態となる。
【００５３】
なお、記録媒体ホルダ２、支点金具１１、上蓋金具１２及びスプリング１３は、この発明の回動機構に含まれる。また、蹴り出しレバー９、蹴り出しスプリング１０、フック部１１ｂ及びカシメピン１４は、この発明のイジェクト機構に含まれる。さらに、ロック爪２ａ、係止爪９ａ、腕部９ｃは、この発明の回動力伝達手段に含まれる。
【００５４】
以上のように、この発明のポータブルＭＤプレーヤ１００に備えられるイジェクトキー７の外周面に溝７ａを設け、底キャビネット４に溝７ａに外嵌されるストッパー４ｃを設けることで、溝７ａをストッパー４ｃに外嵌しない限り、イジェクトキー７の押下を禁止できるので、簡易な構成でユーザの意思ではない誤操作等による上蓋３の回動を禁止できる。また、イジェクトキー７を回転させるだけで押下の禁止を解除できるのでユーザの利便性を向上させることができる。
【００５５】
また、この発明のポータブルＭＤプレーヤ１００は、上蓋３の開放の際の回動力を利用して蹴り出しレバー９を駆動させてＭＤ１の排出を行うので、イジェクトキー７が押下されない限り、蹴り出しレバー９の駆動も禁止されるので、簡易な構成でユーザの意思ではない誤操作等によるＭＤ１の一部の本体装置からの排出を禁止できる。
【００５６】
さらに、イジェクトキー７の外周面に配置された溝７ａがストッパー４ｃに対向する位置である外嵌位置に位置している間、常に溝７ａが外嵌位置から離間させる方向にイジェクトキー７を回転させる力を付与しているので、ユーザ自身が押下の禁止される位置にまでイジェクトキー７を回転させる必要がなく、よりユーザの利便性を向上させることができる。
【００５７】
なお、この発明の実施形態では、ポータブルＭＤプレーヤ１００を用いて説明しているが、ＣＤ（コンパクトディスク）プレーヤやメモリカードを挿脱自在な電子機器等の記録媒体再生装置であれば適用可能である。
【図面の簡単な説明】
【００５８】
【図１】この発明の実施形態に係るポータブルＭＤプレーヤの簡単な構成を示す正面断面図である。
【図２】同ポータブルＭＤプレーヤの一部の構成を拡大した上面断面図である。
【図３】図１に示す矢印Ａ方向から見た側面断面図である。
【図４】図１に示す上蓋が閉じられた状態から開放された状態の一部を示す正面断面図である。
【図５】図２に示す上蓋が閉じられた状態から開放された状態を示す上面断面図である。
【図６】図３に示す上蓋が閉じられた状態から開放された状態を示す側面断面図である。
【図７】図１に示す示す矢印Ｂ方向から見た側面断面図である。
【図８】ポータブルＭＤプレーヤの一部の構成を拡大した上面断面図である。
【図９】図７に示す上蓋が閉じられた状態から徐々に回動されていく状態を順に示す側面断面図である。
【図１０】従来のポータブルＭＤプレーヤの簡単な構成を示す正面断面図、側面断面図、一部の構成を示す上面断面図である。
【図１１】従来のポータブルＭＤプレーヤのＭＤのイジェクト時の状態を示す正面断面図及び側面断面図である。
【符号の説明】
【００５９】
１−ミニディスク
２−記録媒体ホルダ
３−上蓋
４−底キャビネット
４ｃ−ストッパー
５−イジェクトレバー
６−イジェクトスプリング
７−イジェクトキー
７ａ−溝
８−押さえバネ
９−蹴り出しレバー
９ａ−係止爪
９ｂ−蹴り出し板部
９ｃ−腕部
９ｄ−ガイド溝
１０−蹴り出しスプリング
１２−上蓋金具
【図１】
2006164456.tif 000003
【図２】
2006164456.tif 000004
【図３】
2006164456.tif 000005
【図４】
2006164456.tif 000006
【図５】
2006164456.tif 000007
【図６】
2006164456.tif 000008
【図７】
2006164456.tif 000009
【図８】
2006164456.tif 000010
【図９】
2006164456.tif 000011
【図１０】
2006164456.tif 000012
【図１１】
2006164456.tif 000013